(57)【特許請求の範囲】
【請求項１】
書き込み可能型の光ディスクを収納する光ディスクの収納ケースであって、
前記光ディスクの記録面に対向する側が透明に形成され、一対の蓋部材を組合せて開閉する構成のケース本体と、
前記ケース本体の内部に装填されて前記光ディスクの中心孔を挿通して支持する透明なディスクホルダを有する収納ケースにおいて、
前記ケース本体の記録面に対向する側と、前記ディスクホルダとの間に装填される透明なシート材を有し、
該シート材はケース本体内面と略同一形状であって、光ディスクの外形および中心孔の輪郭が表示されていて、前記光ディスクの記録容量の残量を判別可能な表示部を設けたことを特徴とする光ディスクの収納ケース。
【請求項２】
請求項１に記載の光ディスクの収納ケースにおいて、
前記記録容量の残量表示は、上記データ記録層での記録線速度が一定の場合には、中心からの距離を示す目盛りＹ１と、光ディスクの容量Ｘ１との関係が
Ｙ１＝Ａ１＋Ｂ１・√（Ｘ１）
但し、Ａ１、Ｂ1：定数
として設定されることを特徴とする光ディスクの収納ケース。
【請求項３】
請求項１に記載の光ディスクの収納ケースにおいて、
前記記録容量の残量表示は、上記光ディスクの回転数が一定の場合には、中心からの距離を示す目盛りＹ２と、光ディスクの容量Ｘ２との関係が
Ｙ２＝Ａ２＋Ｂ２・Ｘ１
但し、Ａ２、Ｂ２：定数
として設定されることを特徴とする光ディスクの収納ケース。
【発明の詳細な説明】
【０００１】
【発明の属する技術分野】
この発明は、光ディスクの収納ケースに関し、さらに詳しくは、収納される光ディスクにおける記録容量の残量表示を行う構成に関する。
【０００２】
【従来の技術】
近年、パソコンなどの情報処理装置に用いられるデータの記録媒体として、光ディスクが用いられるようになってきている。
【０００３】
光ディスクの一つに、予め記録されているデータに対して１回だけ追記できる形式の書き込み可能型光ディスクがある。
追記可能な書き込み可能型光ディスクは、既に記録されているデータの一つを更新する際に既に記録されているデータの読み出しができないようにされると共に、新たなデータを記録することができる。
【０００４】
ところで、追記型光ディスクにおいて追記しようとする場合に新たな光ディスクを準備することは、無駄な費用をかけることになりかねない。
そこで、費用の無駄を少なくする意味で、既存の光ディスクの記録容量が判別できることが望ましい。
このため、従来では、内部にバッテリと書き込み可能なＲＯＭと表示部と表示制御部とを光ディスクと共にカートリッジ内に組み込み、光ディスク記録読み取り装置に光ディスクを装着し、この装置と接続されるＲＯＭ端子から書き込み可能なＲＯＭに対して光ディスクの記録可能な残量データを書き込み、カートリッジに設けられているスイッチを押すことによりその残量データを表示部により表示するようにした光ディスクが提案されている（例えば、特開平９−１７１５４号公報）。
【０００５】
【発明が解決しようとする課題】
しかし、上記公報記載の構成では、残量表示のための部品を装備する必要があることから光ディスクのコスト上昇の原因となる。
【０００６】
しかも、これら残量表示のための部品を収容するスペースが必要であることから、光ディスクのサイズが大きくなり、これに伴い、光ディスクを用いる機器類側の光ディスク記録再生装置も大型となり、光ディスクを用いる機器が大型なものとなる虞がある。また、光ディスクの残量は、光ディスク記録再生装置からの残量データが入力されて初めて表示できるようになっているので、このようなデータを入力できない場所、例えば、保管してある場所で光ディスク自体を対象とした残量の判別が行えない。
【０００７】
本発明の目的は、上記従来の光ディスクにおける問題に鑑み、サイズ変更を伴わないでしかもコストの上昇を招くことなく、しかも他の機器からの残量データを取り込む操作などを要することなく記録容量の残量を容易に判別できる構成を備えた光ディスクを提供することにある。
【０００８】
【課題を解決するための手段】
請求項１記載の発明は、書き込み可能型の光ディスクを収納する光ディスクの収納ケースであって、前記光ディスクの記録面に対向する側が透明に形成され、一対の蓋部材を組合せて開閉する構成のケース本体と、前記ケース本体の内部に装填されて前記光ディスクの中心孔を挿通して支持する透明なディスクホルダを有する収納ケースにおいて、前記ケース本体の記録面に対向する側と、前記ディスクホルダとの間に装填される透明なシート材を有し、該シート材はケース本体内面と略同一形状であって、光ディスクの外形および中心孔の輪郭が表示されていて、前記光ディスクの記録容量の残量を判別可能な表示部を設けたことを特徴としている。
【０００９】
請求項２記載の発明は、請求項１に記載の光ディスクの収納ケースにおいて、前記記録容量の残量表示は、上記データ記録層での記録線速度が一定の場合には、中心からの距離を示す目盛りＹ１と、光ディスクの容量Ｘ１との関係が
Ｙ１＝Ａ１＋Ｂ１・√（Ｘ１）
但し、Ａ１、Ｂ1：定数
として設定されることを特徴としている。
【００１０】
請求項３記載の発明は、請求項１に記載の光ディスクの収納ケースにおいて、前記記録容量の残量表示は、上記光ディスクの回転数が一定の場合には、中心からの距離を示す目盛りＹ２と、光ディスクの容量Ｘ２との関係が
Ｙ２＝Ａ２＋Ｂ２・Ｘ１
但し、Ａ２、Ｂ２：定数
として設定されることを特徴としている。
【００１７】
【実施例】
以下、図示実施例により、本発明の詳細を説明する。
【００１８】
図１は、光ディスクの記憶容量の残量を判別するための原理を説明する光ディスクの参考例であり、同図において光ディスク１には、周知のアクリル酸樹脂製の円盤が用いられており、その一方の面であるデータ記録層１Ａには、表面に記録容量の残量を判別するための表示部２が設けられている。
表示部２には、図２に示すように、光ディスク１の半径方向に沿って延長された線上に数字を記された目盛り部（便宜上、符号２Ａで示す）で構成されている。
【００１９】
目盛り部２Ａは、次の条件に基づき印されている。
第１に、光ディスク１の記録線速度が一定の場合（Cnstant Linear Velocity）には、ディスク中心からの距離をＹ、ディスク容量をＸ、定数をＡ１、Ｂ１とすると、
Ｙ１＝Ａ１＋Ｂ１・√（Ｘ１）の関係が得られる設定とされている。
【００２０】
第２に、光ディスク１の回転数が一定の場合（Constant Angular Velocity）には、Ｙ２＝Ａ２＋Ｂ２・Ｘ２の関係が得られる設定とされている。
このような関係を設定して目盛り部２Ａの印字間隔を決めたうえで、図３および図４に示すように、必要な残量表示のための数字を付して目盛り部２Ａが形成される。目盛り部２Ａの印字間隔の設定により、光ディスク１の内周側と外周側とで同じ記録密度で記録される記録領域にあわせて記録容量の残量を判別できるようになっている。
【００２１】
目盛り部２Ａの印字材料としては、特定の波長の光が透過する材料が用いられ、光ディスク１が追記型の書き込み可能型の場合には、データ再生のための記録光の波長７８０ｎｍ近傍の光は透過するがそれ以外の波長の光を透過しない材料が用いられる。これにより、人間の可視光波長が３６０ｎｍ〜７６０ｎｍであるので、印字を目視することができる。この場合の印字材料は赤色系の着色剤が好ましい。
【００２２】
以上のような参考例の構成において、図１に示すように、記録済み領域（便宜上、符号１Ａ１で示す）と未記録領域（便宜上、符号１Ｂ１で示す）とが混在している光ディスク１の場合には、光ディスク１の表面における表示部２の目盛り部２Ａを目視することにより、未記録領域１Ｂの位置と目盛り部２Ａとの対応位置を割り出し、両領域の境界位置での目盛り部２Ａの印字内容を確認することで光ディスク１の記録容量の残量を判別できることになる。この場合の記録領域１Ａ１は、レーザ光の照射により内部の染料層および反射層さらには表面の保護層（ポリカーボネイト）での光の反射状態がレーザ光の照射を受けない場合と異なっているのを利用して未記録領域１Ｂとの区別が可能である。
【００２３】
次に上述した記録容量の残量判別原理を用いる本発明の実施例について説明する。
光ディスク１は、保護のためにケースに収容された保管されることが多い。そこで、収容された状態での記録容量の残量を判別できるようになっている。
図５は、本発明による光ディスクの収容ケースを示している。
図５において光ディスク１の収容ケース３は、一対の蓋部材を組み合わせて開閉できる構成とされ、内部に装填されている光ディスク１の中心孔１Ｃを挿通可能な中心位置支持部に相当するボス３Ａ１を有するディスクホルダ３Ａと、光ディスク１の記録面に対向するケース本体３’の内面との間に装填される保護シートとなるディスクジャケット３Ｂとを備えている。なお、収容ケース３の内部には、光ディスク１の記録面と反対側の面と収容ケース３の内面との間に紙などの保護シート（図示されず）が装填されるようになっている。
【００２４】
ディスクホルダ３Ａおよびディスクジャケット３Ｂの一部は透明、若しくは図８において符号３Ｂ１’で示すように、光ディスク１の半径方向に長手方向を有する切り欠きが設けられており、ディスクホルダ３Ａおよびケース本体３’も透明に形成されている。
【００２５】
ケース本体面３’には、図６に示すように、光ディスク１の記録容量の残量を判別するための表示部７が設けられている。
表示部７は、図３あるいは図４に示した判別のための原理を説明するための参考例と同様な設定により目盛り部（図示されず）が形成されており、本実施例の場合には、この目盛り部がシルク印刷などで所望の色により印されている。なお、目盛り部は、色表示に限らず、ケース本体３’の表面に彫刻あるいは凸部によって形成するようにしてもよい。
【００２６】
本実施例は以上のような構成であるから、収容ケース３内のディスクホルダ３Ａに光ディスク１が装着されてディスクホルダ３Ａが収容ケース３内に装着される。
ディスクホルダ３Ａが収容ケース３内に装着されると、図６に示すように収容ケース３のケース本体３’側から光ディスク１の一部あるいは全体を透視することができ、さらに図７に示すように、そのケース本体３’に設けられている表示部７を介して光ディスク１の記録済み領域１Ａと未記録領域１Ｂとの境界位置を割り出すことができる。
【００２７】
なお、上記表示部７は、ケース本体３’に設けることに限らず、図８に示すように、ディスクジャケット（便宜上、符号３Ｂ’で示す）に切り欠き３Ｂ１’が形成されている場合には、切り欠き３Ｂ１’を利用し、その切り欠き３Ｂ１’の長手方向に沿って表示部（便宜上、符号７’で示す）を設けるようにしてもよい。この場合には、図５に示した場合と同様に、ケース本体面３’は透明であり、また、ディスクジャケット３Ｂ’の切り欠き３Ｂ１’に対応するディスクホルダ３Ａの箇所も透視可能な構成とされている。
このような構成においては、図９に示すように、ディスクジャケット３Ｂ’の切り欠き３Ｂ１’を介して光ディスク１の記録済み領域１Ａと未記録領域１Ｂとの境界位置を表示部７’の目盛り部に対応させることにより、収容ケース３のケース本体面３’からディスクジャケット３Ｂ’を透視することにより、光ディスク１の記録容量の残量を判別することができる。
【００２８】
上記光ディスク１の記録容量の残量を判別するための構成としては、図１０および図１１に示す構成とすることも可能である。
図１０において、符号３０は、収容ケース３の内面形状と略同じ形状とされて光ディスク１の記録面と収容ケース３（図５参照）のケース本体３’内に装填される透明なシート材であり、このシート材３０の表面には、光ディスク１の外形を示す輪郭線３０Ａおよび光ディスク１の中心孔１Ｃの形状を示す輪郭線３０Ｂがそれぞれ設けられている。
輪郭線３０Ｂの近傍には、光ディスク１の半径方向に沿って表示部３１が形成されており、その表示部３１には、図３あるいは図４に示した場合と同様な設定で目盛り部３２が形成されている。なお、この場合には、収容ケース３（図５参照）のケース本体面３’およびデスクジャケット３Ｂ（図５参照）はシート材３０を透視できるように透明に構成されている。
【００２９】
上記構成においては、光ディスク１が装着されているディスクジャケット３Ａを収容ケース３内に収容した場合、シート材３０が収容ケース３内で光ディスク１の記録面とケース本体３’内に配置される。この場合、シート材３０は、予め収容ケース３のケース本体３’の内側に位置決めされ、形状が略同じであるのでケース本体面３’内で不用意に位置ずれしない状態とされる。
【００３０】
光ディスク１は、収容ケース３が閉じられると、ケース本体３’およびシート材３０を介して外部から透視することができる。シート材３０は、収容ケース３のケース本体面’内で位置決めされているので、輪郭線３０Ａおよび３０Ｂを光ディスク１の該当個所に一致させることができる。このため、光ディスク１は、シート材３０に設けられている表示部３１の目盛り部３２に対して記録済み領域と未記録領域との境界位置を対応づけることにより記録容量の残量を確認されることになる。
【００３１】
上記シート材３０は、ケース本体３’と同じ形状とすることに限らず、図１１に示すように、光ディスク１の中心孔１Ｃと共にディスクホルダ３Ａの中心位置支持部であるボス部３Ａ１に挿嵌可能な孔（便宜上、符号３０Ｂ’で示す）が形成されて光ディスク１と同じ円盤状に形成された構成とすることも可能である（以下、このシート材を符号３０’で示す）。
シート材３０’の表面には、図１０に示した場合と同様な表示部３１が設けられ、その表示部３１には目盛り部３２が形成されている。この場合には、シート材３０’が光ディスク１をはさんでディスクジャケット３Ａと反対側に位置する部材であるので、光ディスク１は記録面を収容ケース３のケース本体面３’と反対側に位置させた向きでディスクジャケット３Ａに装着される。このため、収容ケース３におけるケース本体面３’と反対側の面は光ディスク１の記録面が透視できるように透明にされている。
【００３２】
このような構成において、シート材３０’は、ディスクジャケット３Ａ内で記録面をディスクジャケット３Ａ側と反対側に向けた光ディスク１の記録面上に載置され、光ディスク１と共にディスクジャケット３Ａにおける中心支持部であるボス部３Ａ１に挿嵌されて光ディスク１と共に中心位置が整合される。
光ディスク１は、シート材３０’および収容ケース３におけるケース本体面３’と反対側の面を介して外部から透視されるようになっており、シート部材３０’に形成されている表示部３１の目盛り３２に対して光ディスク１における記録済み領域１Ａと未記録領域１Ｂとの境界位置との対応関係を目視することにより記録容量の残量が判別される。
【００３３】
なお、上記シート部材３０、３０’に代えて、図１２に示すように、光ディスク１の半径方向に長手方向を有し、光ディスク１の中心孔１Ｃと共に、収容ケース３におけるボス部３Ａ１を挿嵌可能な孔４０Ａが形成されている矩形片で構成された表示片４０を用い、この表示片４０の表面に図３あるいは図４に示した場合と同様な設定による目盛り部４２が形成された表示部４１を設けた構成とすることも可能である。
【００３４】
【発明の効果】
請求項１記載の発明によれば、光ディスクの形状あるいは中心位置を整合させた状態で記録容量の残量を確認できる目盛り部を設けているので、その目盛り部を介して光ディスクの残量を透視することができ、これにより、光ディスクの記録再生装置を用いることなく光ディスクの残量を確認することが可能となる。
【００３５】
請求項２記載の発明によれば、光ディスクの記録線速度が一定の場合には、その記録形式に整合した記録容量の残量が判別できる構成となっているので、実際の残量を正確に確認することが可能となる。
【００３６】
請求項３記載の発明によれば、光ディスクの回転数が一定の場合にはその記録形式に整合した記録容量の残量確認が行えるので、実際の残量を正確に確認することが可能となる。
【図面の簡単な説明】
【図１】本発明実施例による光ディスクの構成を説明するための斜視図である。
【図２】図１に示した光ディスクの平面図である。
【図３】図１に示した光ディスクに設けられている目盛り部の一例を説明するための図である。
【図４】図１に示した光ディスクに設けられている目盛り部の他の例を説明するための図である。
【図５】図１に示した光ディスクを収容するケースの構成を説明するための斜視図である。
【図６】図５に示したケースが閉じられている状態を示す斜視図である。
【図７】図６に示した状態の平面図である。
【図８】図１に示した光ディスクをケースに収容する際に用いられる表示部を構成する部材の斜視図である。
【図９】図９に示した部材を用いたケースの平面図である。
【図１０】図１に示した光ディスクをケースに収容する際に用いられる表示部を構成する部材の他の例を示す斜視図である。
【図１１】図１０に示した表示部を構成する部材の別の例を示す斜視図である。
【図１２】図１１に示した部材のさらに他の例を示す斜視図である。
【符号の説明】
１                  光ディスク
１Ａ                記録済み領域
１Ｂ                未記録領域
２、７              表示部
２Ａ、３２、４２    目盛り部
３                  収容ケース
３’                ケース本体面
３Ａ                ディスクホルダ
３Ａ１              中心位置支持部であるボス部
３Ｂ、３Ｂ’        ディスクジャケット
３Ｃ                中心孔
３０、３０’、４０  シート部材
３０Ａ              光ディスクの輪郭
３０Ｂ              光ディスクの中心孔の輪郭
３０Ｂ’            ディスクジャケットのボス部を挿嵌可能な孔
３１、４１          表示部
３２、４２          目盛り部
【図１】
0004043591.tif 000002
【図２】
0004043591.tif 000003
【図３】
0004043591.tif 000004
【図４】
0004043591.tif 000005
【図５】
0004043591.tif 000006
【図６】
0004043591.tif 000007
【図７】
0004043591.tif 000008
【図８】
0004043591.tif 000009
【図９】
0004043591.tif 000010
【図１０】
0004043591.tif 000011
【図１１】
0004043591.tif 000012
【図１２】
0004043591.tif 000013